【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
レーザーによって作成されるレリーフ構造の形態の触知可能なマークを少なくとも１つ備えた、証券用紙を有する有価証券。
【請求項２】
前記有価証券が銀行券であることを特徴とする請求項１記載の有価証券。
【請求項３】
前記有価証券の前記触知可能なマークの領域に、目で見て分かる色変更があることを特徴とする請求項１または２に記載の有価証券。
【請求項４】
前記証券用紙の前記触知可能なマークの前記領域が黒色化されることを特徴とする請求項１〜３のいずれか１項に記載の有価証券。
【請求項５】
前記証券用紙の色変更が前記レーザーによって生じたものであることを特徴とする請求項１〜４いずれか１項に記載の有価証券。
【請求項６】
前記触知可能なマークが３０〜１００μｍのレリーフ高さを有することを特徴とする請求項１〜５のいずれか１項に記載の有価証券。
【請求項７】
前記レリーフ高さが３０〜８０μｍであることを特徴とする請求項６記載の有価証券。
【請求項８】
前記色変更および／またはレリーフ形成を増強させる添加剤を、前記証券用紙の少なくとも或る領域に含むことを特徴とする請求項１〜７のいずれか１項に記載の有価証券。
【請求項９】
前記証券用紙が一年生植物の繊維を少なくとも何割か含んでいることを特徴とする請求項１〜８のいずれか１項に記載の有価証券。
【請求項１０】
前記一年生植物が綿、リンターまたは亜麻であることを特徴とする請求項９記載の有価証券。
【請求項１１】
前記証券用紙が綿繊維とプラスチック繊維との混合物を含むことを特徴とする請求項１〜１０のいずれか１項に記載の有価証券。
【請求項１２】
前記マークのレリーフ構造がさまざまなレリーフ高さおよび／またはさまざまな黒色化の度合いを有することを特徴とする請求項１〜１１のいずれか１項に記載の有価証券。
【請求項１３】
前記触知可能なマークが、英数字、バーコード、パターンまたは微細書込の形態で存在することを特徴とする請求項１〜１２のいずれか１項に記載の有価証券。
【請求項１４】
いくつかの触知可能なマークが前記有価証券の表面に存在することを特徴とする請求項１〜１３のいずれか１項に記載の有価証券。
【請求項１５】
内容的に互いに関連のあるいくつかの触知可能なマークが前記有価証券上に存在することを特徴とする請求項１〜１４のいずれか１項に記載の有価証券。
【請求項１６】
前記触知可能なマークが、前記有価証券上の内容的に異なる情報に関連付けられていることを特徴とする請求項１〜１５のいずれか１項に記載の有価証券。
【請求項１７】
レーザーによって作成されるレリーフ構造の形態の触知可能なマークを少なくとも１つは有する、有価証券のための証券用紙。
【請求項１８】
前記有価証券が銀行券またはＩＤカードであることを特徴とする請求項１７記載の証券用紙。
【請求項１９】
前記有価証券がコーティングを有し、および前記触知可能なマークの少なくとも一部分がこのコーティングの領域に配置されていることを特徴とする請求項１〜１８のいずれか１項に記載の有価証券。
【請求項２０】
前記コーティングが多層のセキュリティ要素であることを特徴とする請求項１〜１９のいずれか１項に記載の有価証券。
【請求項２１】
前記セキュリティ要素が少なくとも１つのプラスチック層と１つの金属層とを有し、少なくとも前記触知可能なマークの前記領域にある少なくとも前記金属層がレーザーの作用によって取り除かれることを特徴とする請求項２０に記載の有価証券。
【請求項２２】
前記プラスチック層が回折構造を有することを特徴とする請求項２１に記載の有価証券。
【請求項２３】
前記金属層が取り除かれる領域が触知可能なマークを備えた領域よりも大きいことを特徴とする請求項２１または２２に記載の有価証券。
【請求項２４】
前記有価証券が紙と箔の間に接合部を有し、前記触知可能なマークが前記紙／箔の境界領域を越えて延びていることを特徴とする請求項１〜２３のいずれか１項に記載の有価証券。
【請求項２５】
前記コーティングが印刷物であることを特徴とする請求項１〜２４のいずれか１項に記載の有価証券。
【請求項２６】
前記印刷物および前記触知可能なマークは、光学的に可変の要素が結果的に提供されるように互いに配置されることを特徴とする請求項２５に記載の有価証券。
【請求項２７】
前記有価証券が多層形態を備えていることを特徴とする請求項１〜２５のいずれか１項に記載の有価証券。
【請求項２８】
前記証券用紙がコーティングを有し、および前記触知可能なマークの少なくとも一部分がこのコーティングの領域に配置されていることを特徴とする請求項１〜１８のいずれか１項に記載の証券用紙。
【請求項２９】
前記コーティングが多層のセキュリティ要素であることを特徴とする請求項１〜１８および２８のいずれか１項に記載の証券用紙。
【請求項３０】
前記セキュリティ要素が少なくとも１つのプラスチック層と１つの金属層とを有し、少なくとも前記触知可能なマークの前記領域にある少なくとも前記金属層がレーザーの作用によって取り除かれることを特徴とする請求項２９に記載の証券用紙。
【請求項３１】
前記プラスチック層が回折構造を有することを特徴とする請求項３０に記載の証券用紙。
【請求項３２】
前記金属層が取り除かれる領域が触知可能なマークを備えた領域よりも大きいことを特徴とする請求項３０または３１に記載の証券用紙。
【請求項３３】
前記証券用紙が紙と箔の間に接合部を有し、前記触知可能なマークが前記紙／箔の境界領域を越えて延びていることを特徴とする請求項１〜１８および２８〜３２のいずれか１項に記載の証券用紙。
【請求項３４】
前記コーティングが印刷物であることを特徴とする請求項１〜１８および２８〜３３のいずれか１項に記載の証券用紙。
【請求項３５】
前記印刷物および前記触知可能なマークは、光学的に可変の要素が結果的に提供されるように互いに配置されることを特徴とする請求項３４に記載の証券用紙。
【請求項３６】
前記証券用紙が多層形態を備えていることを特徴とする請求項１〜１８および２８〜３４のいずれか１項に記載の証券用紙。
【請求項３７】
証券用紙を含む有価証券に触知可能なマークを作成する方法において、前記証券用紙にレーザー放射線を照射し、レリーフ構造の形態の触知可能なマークが結果的に提供されるようにレーザーの刻印パラメーターと前記証券用紙の組成とを調節することを特徴とする方法。
【請求項３８】
前記有価証券が銀行券であることを特徴とする請求項３７記載の方法。
【請求項３９】
前記刻印パラメーターが、触知可能なマーキングに加え、目で見て分かる前記証券用紙の色変更が結果的に提供されるように選択されることを特徴とする請求項３７または３８に記載の方法。
【請求項４０】
前記証券用紙の前記触知可能なマークの領域がレーザー放射線によって黒色化されることを特徴とする請求項３７〜３９のいずれか１項に記載の方法。
【請求項４１】
前記レーザーパラメーターを、さまざまなレリーフ高さおよび／または黒色化の度合いが前記証券用紙に結果的に提供されるように調節することを特徴とする、請求項３７〜４０のいずれか１項に記載の方法。
【請求項４２】
前記レーザーによる前記刻印の前に前記有価証券または証券用紙にコーティングを施し、前記触知可能なマークをこのコーティングの前記領域内の少なくとも一部分に作成することを特徴とする請求項３７〜４１のいずれか１項に記載の方法。
【請求項４３】
前記転写方法を利用して多層のセキュリティ要素をコーティングとして付着させることを特徴とする請求項３７〜４２のいずれか１項に記載の方法。
【請求項４４】
Ｎｄ：ＹＡＧレーザーが使用されることを特徴とする請求項３７〜４３のいずれか１項に記載の方法。
【請求項４５】
前記レーザーによる前記刻印が、セキュリティ印刷作業にとって通常通りの高速な態様で行われることを特徴とする請求項３７〜４４のいずれか１項に記載の方法。